(57)【要約】【課題】雨天時であっても、作業ができるようにするエアルーフ装置の提供である。【解決手段】建物Ｖの周囲に設けられた足場枠２を構成する外側の足場支持棒３の上端部に袋状のルーフ部材５を取付け、該ルーフ部材５にエアを注入して膨張させ、建物Ｖの屋上部１を覆うと共に、前記ルーフ部材５の直下にネット部材６を張り状態で取付けて、前記ルーフ部材５が下方に膨出することを阻止する。【選択図】        図８
2004232250.tif 000002
【特許請求の範囲】
【請求項１】
建築中の建物、或いは簡易建物の最上部全体を覆った状態で着脱可能に設置されるエアルーフ装置であって、
エアの注入により、上面部が凸状に膨張した状態で前記建物の最上部全体を覆う袋状のルーフ部材と、
前記ルーフ部材の設置状態で、該ルーフ部材の下方への膨出を阻止してその底面形状を定めるための膨出阻止部材と、
を備えていることを特徴とするエアルーフ装置。
【請求項２】
前記ルーフ部材の底面部には、エアを排気するための排気ファスナー部が開閉可能にして設けられていることを特徴とする請求項１に記載のエアルーフ装置。
【請求項３】
前記膨出阻止部材は、前記建物の周辺部に設けられた支持部材に、張り状態で取付けられるネット部材であることを特徴とする請求項１又は２に記載のエアルーフ装置。
【発明の詳細な説明】
【０００１】
【発明の属する技術分野】
本発明は、建築中の建物、或いは簡易建物の最上部全体を覆った状態で着脱可能に設置されるエアルーフ装置に関するものである。
【０００２】
【従来の技術】
建物の屋上部のように屋外に露出した場所で作業をする場合、例えば、建築途中の建物の屋上部に打設したコンクリートの養生をする場合には雨水対策が必要となる。この場合、建物の周辺部に設けられた足場を利用してシートを張ることによって屋根部を形成することが想定されるが、前記シートに雨水が溜まると該シートが下がって、作業に支障をきたすおそれがある。また、撤去時に、溜まった雨水の排水処理が問題となる。
【０００３】
このため、各種の構成の仮設屋根に関する発明が特許出願されており、本出願人もエアテントの特許出願をしている（特許文献１参照）。
【０００４】
この種のエアテントは、仮設として使用されることが多いため、取付け、取り外しの回数が多くなる。このため、迅速に設置したり、撤去したりできるものであることが望ましい。また建物の屋上部のような高所で使用されることも多く、搬送が容易になるように軽量のものであることが望ましい。
【０００５】
【特許文献１】
特開２０００−６４６２３号公報
【０００６】
【発明が解決しようとする課題】
本発明は、上記した不具合に鑑み、雨水に対して保護されると共に、設置、及び撤去が容易なエアルーフ装置を提供することを課題としている。
【０００７】
【課題を解決するための手段】
上記課題を解決するための請求項１に記載の発明は、建築中の建物、或いは簡易建物の最上部全体を覆った状態で着脱可能に設置されるエアルーフ装置であって、エアの注入により、上面部が凸状に膨張した状態で前記建物の最上部全体を覆う袋状のルーフ部材と、前記ルーフ部材の設置状態で、該ルーフ部材の下方への膨出を阻止してその底面形状を定めるための膨出阻止部材とを備えていることを特徴としている。
【０００８】
建物や簡易建物等の建物類の最上部の上方に袋状のルーフ部材が取付けられると共に、その直下に、該ルーフ部材が下方に膨出することを阻止するための膨出阻止部材が取付けられる。前記ルーフ部材にエアが注入されると該ルーフ部材は、その上面部が凸状になるように膨張し、建物類の最上部全体が覆われる。このため、建物類の最上部が雨水から保護されると共に、該雨水が確実に排水される。また、前記ルーフ部材の直下には、該ルーフ部材が下方に膨出することを阻止するための膨出阻止部材が取付けられている。このため、該ルーフ部材の底面部は、ほぼ平坦形状のまま保持され、その下方における作業者の作業に支障をきたすおそれはない。本発明のエアルーフ装置は着脱可能であるため、常設、仮設を問わず使用することができる。
【０００９】
請求項２に記載の発明は、請求項１に記載の発明を前提として、前記ルーフ部材の底面部には、エアを排気するための排気ファスナー部が開閉可能にして設けられていることを特徴としている。このため、前記排気ファスナー部を開くだけで、ルーフ部材に注入されていたエアを容易に排気することができ、エアルーフ装置の撤去を迅速に行うことができる。
【００１０】
請求項３に記載の発明は、請求項１又は２に記載の発明を前提として、前記膨出阻止部材は、前記建物の周辺部に設けられた支持部材に、張り状態で取付けられるネット部材であることを特徴としている。このため、膨出支持部材の構成が簡単であると共に軽量であり、設置、搬送、保管が容易である。
【００１１】
【発明の実施の形態】
以下、実施形態をあげて、本発明を更に詳細に説明する。図１は本発明の第１実施形態のエアルーフ装置Ａ１  が設置された建物Ｖの斜視図、図２は同じく正面図、図３は同じく平面図、図４はエアルーフ装置Ａ１  の底面図、図５はエアルーフ装置Ａ１  を構成する各部材を分離させた状態の斜視図である。本明細書では、雨天であっても、作業者が建物Ｖの屋上部１で作業できるように、該建物Ｖの屋上部１に仮設されるエアルーフ装置Ａ１  について説明する。図１及び図２に示されるように、建築中の建物Ｖの周辺部には、該建物Ｖの外装部分の工事を行うための足場枠２が組まれている。この足場枠２は、建物Ｖに近接して立設された多数本の足場支持棒３と、各足場支持棒３に取付けられた各足場板４とから成る。本実施形態の場合、前記多数本の足場支持棒３のうち、外側に配置された各足場支持棒３の上端部は、建物Ｖの屋上部１よりも所定の高さ（この場合、作業者の背丈以上の高さ）だけ上方に延設されている。
【００１２】
このエアルーフ装置Ａ１  は、図２ないし図５に示されるように、袋状のルーフ部材５と、該ルーフ部材５を支持するために、その直下に取付けられるネット部材６とから構成されている。最初に、ルーフ部材５について説明する。このルーフ部材５は、図６の（イ），（ロ）に示されるように、略蒲鉾形状に形成される上面部７と、前記上面部７に対応する底面部８とを一体に成形させて袋状にしたものである。即ち、前記上面部７は、わん曲状態に形成されるルーフ形成部７ａと該ルーフ形成部７ａの前後の部分に設けられた各切妻面形成部７ｂとから成り、両者が立体裁断されることにより、略蒲鉾状に形成される。また、前記底面部８は略方形状であり、立体裁断される上面部７と対応する大きさを有している。この底面部８の投影面積は、エアルーフ装置Ａ１  が設置される建物Ｖの屋上部１の床面積よりも少し広い。そして、そのコーナー部には、エアを注入するための送風孔９が設けられていると共に、前記底面部８における幅方向の両端部には、前後方向に沿って各排気ファスナー部１１が設けられている。これらの排気ファスナー部１１は、通常の状態（ルーフ部材５にエアが注入されている状態）で閉じている。そして、作業者が、各排気ファスナー部１１を構成する金具１１ａを前後方向（排気ファスナー部１１の形成方向）に沿ってスライドさせることによって開閉可能である。
【００１３】
また、前記底面部８の周縁部１２には、多数の鳩目部１２ａが、所定間隔をおいて設けられている。これらの鳩目部１２ａには、ルーフ部材５を足場枠２に取付ける各結束紐体１３（図５参照）が通される。このため、前記底面部８の周縁部１２は、各結束紐体１３によって引っ張られても損傷しないように、厚手のシート材で形成することが望ましい。
【００１４】
このルーフ部材５は、その底面部８に設けられた送風孔９からエアが注入されて膨張する。そして、エアが注入されていない状態では平坦状となっていて、折り畳むことができる。その状態を、図５において二点鎖線で示す。
【００１５】
前記ルーフ部材５を構成するシート材は、図７の（イ），（ロ）に示されるように、太さが１０００〜１５００デニールの細いポリエチレンの縦糸１０ａと横糸１０ｂとを、１インチ当り１０〜１８本の割合で交互に織り込むことによって形成されている。前記縦糸１０ａと横糸１０ｂとを交互に織り込むことにより、その表面には微小な凹凸が形成される。そして、その片面には、防水のために、厚さが３０〜８０ミクロンのポリエチレンフィルムＦが熱融着されている。
【００１６】
次に、このシート材の１インチ当りの重量を計算する。本実施形態のルーフ部材５を構成するシート材には、太さ１０００デニールのポリエチレンの縦糸１０ａと横糸１０ｂが、１インチ当り１０本織り込まれていると共に、片面に３０ミクロンのポリエチレンフィルムＦが融着されていると仮定する。１デニールは、０．０５ｇ／４５０  ｍである。また、ポリエチレンの比重を０．９５とする。太さ１０００デニールのポリエチレンの縦糸１０ａと横糸１０ｂの１ｍ当りの重量は、１０００×０．０５／４５０＝０．１１（ｇ）である。そのため、１インチ（２５．４ｍｍ）当りでは、０．１１×２５．４×１０−３＝２．８×１０−３（ｇ）である。この縦糸１０ａと横糸１０ｂが、縦方向及び横方向にそれぞれ１０本ずつ織り込まれているため、その１平方インチ当りの重量は、２．８×１０−３×（１０＋１０）＝０．０５６（ｇ）である。また、片面に融着されているポリエチレンフィルムＦの１平方インチ当りの重量は、２．５４×２．５４×０．０３×０．９５＝０．１８（ｇ）である。その結果、シート材の１平方インチ当りの重量は、０．０５６＋０．１８＝０．２３６（ｇ）であり、極めて軽いことがわかる。この結果、ルーフ部材５の設置、搬送、保管が容易である。
【００１７】
次に、ネット部材６について説明する。このネット部材６は、図４及び図５に示されるように、多数の網目が形成された網目部６ａと、その周縁部に取付けられた多数本の結束紐体６ｂとから構成されている。このネット部材６は、太さが２．４〜３ｍｍのポリエチレンのより糸から成る。そして、その重量は１平方メートル当り４６〜８０ｇであり、また、その強度は１平方メートル当り１０００〜１５００ｋｇである。本実施形態のネット部材６における網目部６ａの面積は、前述したルーフ部材５の底面部８の面積よりも少し小さい。
【００１８】
図２に示されるように、このネット部材６を構成する各結束紐体６ｂは、足場枠２を構成する外側の各足場支持棒３に縛り付けられる。これにより、前記ネット部材６は、建物Ｖの屋上部１から所定の高さ位置に張り状態で、しかも、ほぼ水平にして取付けられる。
【００１９】
本発明に係るエアルーフ装置Ａ１  の作用について説明する。図１及び図２に示されるように、この建物Ｖの周囲には、足場枠２が取付けられていて、該足場枠２を構成する多数本の足場支持棒３のうち、外側の足場支持棒３の上端部は、屋上部１よりも上方の部分に配置されている。最初に、前記外側の足場支持棒３の上端部に、ネット部材６を構成する各結束紐体６ｂが縛り付けられる。これにより、前記ネット部材６は、張り状態で、しかも、ほぼ水平に取付けられる。前記ネット部材６は、作業者が屋上部１で作業できるように、少なくとも作業者の背丈以上の高さ位置に取付けられる。
【００２０】
続いて、このネット部材６に、ルーフ部材５が載置される。そして、該ルーフ部材５における底面部８の周縁部１２に設けられた各鳩目部１２ａに、各結束紐体１３が通される。前記各結束紐体１３は、対応する外側の足場支持棒３に縛り付けられる。そして、前記ルーフ部材５の底面部８に設けられた送風孔９に、送風機１４の送風用ダクト１４ａが接続される。前記送風機１４を作動させて、ルーフ部材５にエアを注入する。すると、図８に示されるように、ルーフ部材５の内圧Ｐが上昇して膨張する。
【００２１】
ここで、ルーフ部材５の上面部７と底面部８は、一様に膨張しようとするが、前記底面部８の周縁部１２は、各結束紐体１３によって引っ張られていると共に、その直下に張り状態で取付けられたネット部材６により、前記底面部８が下方に膨出することが阻止される。即ち、エアが注入されたルーフ部材５は、その上面部７が優先的に膨張され、その底面部８はほぼ平坦な形状のままで保持される。このため、前記ルーフ部材５は、建物Ｖの屋上部１の全体、及び周囲の足場板４の部分を覆った状態で、略蒲鉾状に膨張される。この結果、雨天時であっても、建物Ｖの屋上部１で作業する作業者は雨水から保護される。しかも、前記ルーフ部材５の上面部７は凸状を呈するため、雨水が効果的に排水され、前記上面部に溜まることもない。
【００２２】
また、前記ルーフ部材５は、各結束紐体１３によって外側の各足場支持棒３に縛り付けられている。このため、強風等によってルーフ部材５が外れて離反することはない。
【００２３】
本発明に係るエアルーフ装置Ａ１  は、着脱可能であるため、屋上部１における作業が終了した後、取り外すことができる。このときの作用について説明する。作業者は、ルーフ部材５の底面部８に設けられた各排気ファスナー部１１を開く。即ち、各排気ファスナー部１１を構成する金具部１１ａをつかんでスライドさせる。すると、各排気ファスナー部１１が開かれる。これにより、ルーフ部材５の底面部８に大きな開口が形成され、ルーフ部材５に注入されていたエアは迅速に排気される。
【００２４】
この状態で、作業者は、ルーフ部材５とネット部材６とを取り外し、折り畳む。これにより、ルーフ部材５とネット部材６が収容される空間部の大きさを小さくすることができ、搬送、保管等が容易になる。また、前記ルーフ部材５を折り畳んで収納する場合、可能な限りポリエチレンフィルムＦ（図７参照）の面どうしを重ねずに、その反対側の面のみを重ねるようにして折り畳むことにより、フィルムＦ面どうしが密着することがなくなり、次回のエアルーフ装置Ａ１  の設置時に、ルーフ部材５を伸長させる作業が簡単になる。
【００２５】
上記した第１実施形態のエアルーフ装置Ａ１  を構成するルーフ部材５の底面部８には、その幅方向の両端部に各排気ファスナー部１１が設けられている。また、ネット部材６の網目部６ａは、ルーフ部材５の底面部よりも少し小さい。このため、ネット部材６に載置されてエアが注入された状態で、前記各排気ファスナー部１１は、ネット部材６の網目部６ａの外側に配置される。この結果、エアルーフ装置Ａ１  の撤去時において、作業者がルーフ部材５に注入されたエアを排気しようとするときに、各排気ファスナー部１１がネット部材６の網目部６ａと干渉せず、作業者は、容易にその金具１１ａをスライドさせることができる。
【００２６】
本実施形態では、ルーフ部材５の上面部７と底面部８に使用されているシート材の厚みは、同一の厚みを有するものである。しかし、前記上面部７に使用するシート材の厚みを、底面部８に使用するシート材の厚みよりも薄くすることにより、前記上面部７を優先的に膨張させることもできる。これにより、膨張したルーフ部材５の底面部８は、平坦形状のままで保持され易くなる。
【００２７】
次に、第２実施形態のエアルーフ装置Ａ２  について説明する。このエアルーフ装置Ａ２  を構成するルーフ部材１５は、図９に示されるように、膨張されたときに寄せむね屋根形状となる。この実施形態の場合、ルーフ部材１５の製作が簡単になるという利点がある。
【００２８】
第１及び第２の各実施形態のエアルーフ装置Ａ１，Ａ２  は、建築中の建物Ｖの屋上部１に設置されるものである。しかし、前記各エアルーフ装置Ａ１，Ａ２  が設置される場所は、建物Ｖの屋上部１以外の場所であっても構わない。次に、第３実施形態のエアルーフ装置Ａ３  について説明する。この実施形態のエアルーフ装置Ａ３  は、例えば一般の住宅１６の瓦をふき替えるために、その屋根部１６ａの上方に設置される。
【００２９】
図１０及び図１１に示されるように、このエアルーフ装置Ａ３  を構成するルーフ部材１７は、正面視において、住宅１６の屋根部１６ａに対応する山形状（逆Ｖ字状）であり、その幅方向の両端部が各結束紐体１３によって引っ張られている。前記各結束紐体１３は、住宅１６の側方に立設された複数本（本実施形態の場合、１０本）の第１支柱１８の上端部に縛り付けられている。同様にして、ルーフ部材１７を支持するためのネット部材１９は、その幅方向の両端部が前記各第１支柱１８の上端部に縛り付けられていると共に、ネット部材１９の幅方向のほぼ中央部が、住宅１６の前後に立設された２本の第２支柱２１の上端部に縛り付けられている。当然のことながら、各第２支柱２１は、各第１支柱１８よりも高い。
【００３０】
この実施形態のエアルーフ装置Ａ３  では、該エアルーフ装置Ａ３  を構成するルーフ部材１７が住宅１６の屋根部１６ａに対応する逆Ｖ字状であるため、屋外で使用する場合であっても、各第１支柱１８の高さを必要最小限のものとすることができる。
【００３１】
上記した各実施形態のエアルーフ装置Ａ１  〜Ａ３  を構成するルーフ部材５，１５，１７の膨張時の形状は、本明細書で記載した形状以外のもの（例えば、ドーム形状）であっても構わない。
【００３２】
本発明に係るエアルーフ装置Ａ１  〜Ａ３  は、各実施形態に示すように、建物Ｖや住宅１６において使用することができる。そして、前記エアルーフ装置Ａ１  〜Ａ３  は、常設、仮設を問わずに使用することができるため、上記した各実施形態に示した使用の他に、屋外の催事場における展示スペース等の簡易建物に使用したり、車両の塗装ブースに使用したりすることもできる。
【００３３】
【発明の効果】
本発明に係るエアルーフ装置は、建築中の建物、或いは簡易建物の最上部全体を覆った状態で着脱可能に設置されるエアルーフ装置であって、エアの注入により、上面部が凸状に膨張した状態で前記建物の最上部全体を覆う袋状のルーフ部材と、前記ルーフ部材の設置状態で、該ルーフ部材の下方への膨出を阻止してその底面形状を定めるための膨出阻止部材とを備えていることを特徴としている。即ち、建物類の最上部に取付けられたルーフ部材にエアが注入されると、該ルーフ部材は、その上面部が凸状となって膨張して前記建物の最上部を覆う。しかも、前記ルーフ部材の直下には、その下方への膨出を阻止するための膨出阻止部材が取付けられている。このため、建物の最上部での作業に支障をきたすことなく、作業者が雨水から保護される。
【図面の簡単な説明】
【図１】本発明の第１実施形態のエアルーフ装置Ａ１  が設置された建物Ｖの斜視図である。
【図２】同じく正面図である。
【図３】同じく平面図である。
【図４】エアルーフ装置Ａ１  の底面図である。
【図５】エアルーフ装置Ａ１  を構成する各部材を分離させた状態の斜視図である。
【図６】（イ）はルーフ部材５の上面部７の展開図であり、（ロ）は同じく底面部８の平面図である。
【図７】（イ）はシート材の拡大図であり、（ロ）は（イ）のＸ−Ｘ線断面図である。
【図８】エアルーフ装置Ａ１  の作用説明図である。
【図９】第２実施形態のエアルーフ装置Ａ２  が設置された建物Ｖの斜視図である。
【図１０】第３実施形態のエアルーフ装置Ａ３  の正面図である。
【図１１】同じく平面図である。
【符号の説明】
Ａ１  〜Ａ３  ：エアルーフ装置
Ｖ：建物
１：屋上部（最上部）
５，１５，１７：ルーフ部材
６，１９：ネット部材（膨出阻止部材）
７：上面部
８：底面部
１６：住宅（建物）
１６ａ：屋根部（最上部）
【図１】
2004232250.tif 000003
【図２】
2004232250.tif 000004
【図３】
2004232250.tif 000005
【図４】
2004232250.tif 000006
【図５】
2004232250.tif 000007
【図６】
2004232250.tif 000008
【図７】
2004232250.tif 000009
【図８】
2004232250.tif 000010
【図９】
2004232250.tif 000011
【図１０】
2004232250.tif 000012
【図１１】
2004232250.tif 000013